(57)【要約】      （修正有） 【課題】別途、ピースの保護体を設けなくとも、扉面より突出したハンドルの損傷を抑制する梱包材を提供する。【解決手段】梱包材２０は、扉３a，６ａ面より突出して設けられたハンドル９を有する冷蔵庫本体１を覆い、少なくとも上下面が開口した胴枠２３と、この胴枠２３の上下面を閉塞する上蓋体２１および下蓋体２２とからなり、ハンドル９の設けられた扉面と対向する胴枠２３の下部２４に、この下部２４を内側に折曲させて形成した保護片２６を設けた。【選択図】  図２
2007091303.tif 000002
【特許請求の範囲】
【請求項１】
扉面より突出して設けられたハンドルを有する冷蔵庫本体を覆い、少なくとも上下面が開口した胴枠と、この胴枠の上下面を閉塞する上蓋体および下蓋体とからなり、前記ハンドルの設けられた扉面と対向する胴枠の下部に、この下部を内側上方に折曲させて形成した保護片を設けたことを特徴とする冷蔵庫の梱包材。
【発明の詳細な説明】
【技術分野】
【０００１】
本発明は、扉面より突出して設けられたハンドルを有する冷蔵庫の梱包材に関する。
【背景技術】
【０００２】
従来より、組立て製造された冷蔵庫は、ダンボールなどの梱包材により梱包され、販売店や据え付け先に出荷されている。従来の梱包材を示す斜視図である図３に示すように、被包装体である冷蔵庫本体６０の前面開口部は扉６１により開閉自在に覆われており、この扉６１の前面には前方に突出して取付けられたハンドル６２を設けている。
【０００３】
この冷蔵庫本体６０を梱包する梱包材５０は、胴枠５２と上下面を閉塞する上蓋体５１と下蓋体５３とから構成されており、特に図示しないが、上蓋体５１および下蓋体５３内には、搬送時などに冷蔵庫の移動を防止したり、衝撃を吸収する緩衝材が設けられている。
【０００４】
上記梱包材５０により冷蔵庫本体６０を梱包する際には、予め下蓋体５３に冷蔵庫本体６０を載置した状態で、胴枠５２を上方から覆い被せ、胴枠５２の上面開口を上蓋体５１で覆うことで梱包している。この場合、胴体５２を覆い被せる際に、胴体５２の下端部が扉面より突出したハンドル６２に衝突して、これを傷つけてしまうことがあるため、図４の断面図にも示すように、ハンドル６２の上部からその前面に亙って、ダンボールの小片などからなる保護体６３をテープ６４で取付け、突出するハンドル６２を被覆するることで、衝突による損傷を防止していた。
【０００５】
なお、運搬時の傷打痕を防止する方法として、ドアハンドル７にダンボールで形成された包装補助部材１を取付けた構成は知られている(例えば、特許文献１参照)。
【特許文献１】特開２００３−７２８４９号
【発明の開示】
【発明が解決しようとする課題】
【０００６】
しかしながら、このような保護体６３を別途設けたり、テープ６４による貼り着けを行うことは、部品点数が増加し、また作業工程が多くなる欠点を有していた。
【０００７】
本発明は上記問題点を考慮したものであり、別途、保護体を設けなくとも、扉面より突出したハンドルの損傷を抑制する梱包材を提供することを目的とする。
【課題を解決するための手段】
【０００８】
上記課題を解決するために、本発明による冷蔵庫の梱包材は、扉面より突出して設けられたハンドルを有する冷蔵庫本体を覆い、少なくとも上下面が開口した胴枠と、この胴枠の上下面を閉塞する上蓋体および下蓋体とからなり、前記ハンドルの設けられた扉面と対向する胴枠の下部に、この下部を内側上方に折曲させて形成した保護片を設けたことを特徴とする。
【発明の効果】
【０００９】
上記発明によれば、胴枠の下部に保護片を一体に形成することにより、別途保護体を用いなくとも梱包の際にハンドルを損傷させることを抑制することができるとともに、部品点数および作業工程を少なくした梱包材を提供することができる。
【発明を実施するための最良の形態】
【００１０】
本発明の１実施形態について、冷蔵庫の梱包材を示す分解図である図１及び図１のＡ−Ａ線に沿う断面図である図２を参照して説明する。
【００１１】
１は、外箱と内箱の間に断熱材を充填させた冷蔵庫本体であり、上から順に冷蔵室２、野菜室３、製氷室４および切替室５、冷凍室６を配設し、それぞれの前面開口部には、開閉自在に閉塞する扉２ａ，３ａ，４ａ，５ａ，６ａを設けている。
【００１２】
冷蔵室２の扉２ａは、ヒンジ部７により回転自在に枢支されており、前面には温度調節などを行う操作部８を備えている。野菜室３および冷凍室６の扉３ａ，６ａは引出し式の扉であり、前面には、前方に例えば５０ｍｍほど突出させ、両端をネジ止め固定したハンドル９を設けている。このハンドル９は合成樹脂によって外縁がアーチ状に成形されており、表面には金属メッキが施されている。
【００１３】
２０は梱包材であり、上蓋体２１と下蓋体２２および胴枠２３とから構成している。上蓋体２１と下蓋体２２は、例えば厚さ３〜１０ｍｍの厚手のダンボールより周縁に側面部を有する矩形状に成形されており、胴枠２３の上面と下面開口をそれぞれ閉塞するように、上蓋体２１の底面と下蓋体２２の上面を開口させて、胴枠２３の外周縁がそれぞれの内周縁に嵌り込むようになっている。また、図２に示すように、下蓋体２２の内部には、運搬時に冷蔵庫本体１の移動を防止し、衝撃を吸収する緩衝材２２ａを設けており、特に図示しないが冷蔵庫本体１の上部にも緩衝材を取付けている。
【００１４】
胴枠２３も同様に例えば３〜１０ｍｍの厚手のダンボールより矩形筒状に成形されているが、上面と下面は開口させ、冷蔵庫本体１の周囲側面を覆うように長手方向に延在させている。胴枠２３の前面、すなわち冷蔵庫本体１にハンドル９が設けられた面と対向する面の下部２４の両側には、ハンドル９の幅寸法よりも長い位置で、下蓋体２２の側面高さより短い高さ位置から下端に至る上下の切込み部２５を設け、この切込み部２５の内方を冷蔵庫本体１の扉側に傾斜状に折曲させて保護片２６としている。また、この傾斜状に折曲させた保護片２６の扉側への水平長さは、胴枠２３の内壁と扉３ａ，６ａとの距離Ｃよりも短く、胴枠２３の内壁とハンドル９の先端との距離Ｄよりも長くなるように設定している。
【００１５】
次に本発明の梱包材を用いた梱包方法ならびに作用について説明する。組立てが完了した冷蔵庫本体１を、緩衝材２２ａが設けられた下蓋体２２に載置して、胴枠２３を下面および上面が開口した状態で、冷蔵庫本体１の上方から滑らすように覆い被せる。
【００１６】
この場合、胴枠２３を傾斜させながら覆い被せると、下部２４が扉面より突出したハンドル９と接触することになるが、胴枠２３の下部２４を折曲した保護片２６を設けているため、ハンドル９との衝撃力を、この保護片２６が弾性的に屈曲して吸収するためハンドル９前面のメッキが剥がれるなどの損傷を抑制している。
【００１７】
そして、冷蔵庫本体１の上面に緩衝材を取付けた後に、上蓋体２１を胴枠２３の上面に覆い被せ、上蓋体２１および下蓋体２２が外れないよう接着剤や薄肉のベルトによって締め付けて固定する。
【００１８】
上述した構成によれば、胴枠２３を覆い被せる際に、別途、ダンボールなどの小片を取付けてハンドル９をカバーしなくとも、胴枠２３の下部２４を扉側に上方傾斜して折曲させて保護片２６を設けているため、この保護片２６の傾斜によりハンドル９との衝撃力を吸収することができるとともに、保護片２６は、胴枠２３が下方に移動する際のガイドの役割も果たすため、スムーズに胴枠２３をセットすることができる。このため、従来の構成と比較して、部品点数ならびに作業工程を少なくすることができ、もって製造コストを安価にすることができる。
【００１９】
また、切込み部２５の寸法を下蓋体２２の側面の高さ寸法より小さくすることで、折曲された部分が利用者から可視されることなく、強度も強くすることができる。さらに、保護片２６の扉側への水平長さを、胴枠２３の内壁と扉３ａ，６ａとの距離Ｃよりも短く、胴枠２３の内壁とハンドル９の先端との距離Ｄよりも長く設定することで、胴枠２３を覆い被せる際に、保護片２６の先端が扉面と摺動して、扉面を傷つけることを防止することができるとともに、ハンドル９の損傷を確実に防止することができる。
【００２０】
なお、上述した構成は、本発明の１実施形態であり、要旨を変更しない限り種々の変更が可能である。
【産業上の利用可能性】
【００２１】
本発明の梱包材は、扉面より突出したハンドルを有する冷蔵庫の梱包に適応可能である。
【図面の簡単な説明】
【００２２】
【図１】本発明の１実施形態を示す梱包材の分解図である。
【図２】図１のＡ−Ａ線に沿う断面図である。
【図３】従来の梱包材を示す分解図である。
【図４】図３のＸ−Ｘ線に沿う断面図である。
【符号の説明】
【００２３】
１…冷蔵庫本体              ３…野菜室                ６…冷凍室
９…ハンドル              ２０…梱包材              ２１…上蓋体
２２…下蓋体                ２３…胴枠                ２５…切込み部
２６…保護片                
【図１】
2007091303.tif 000003
【図２】
2007091303.tif 000004
【図３】
2007091303.tif 000005
【図４】
2007091303.tif 000006